(57)【要約】【課題】折り畳み時における折り畳み式テーブルの厚さを小さくすることができ、収納効率や運搬効率を向上させることができるとともに、容易に取り扱うことができる折り畳み式テーブルを提供する。【解決手段】折り畳み式テーブル１０の天板１１の裏面側に収容凹部１４が形成されている。収容凹部１４内には対向する一対の側壁部１３に一対の補強枠２０が固定されている。収容凹部１４内には各補強枠２０の両端部に脚取付部材３０が隣接配置されており、各脚取付部材３０に対して脚基部４１を回動可能に支持され天板１１に沿う折り畳み位置と天板１１の裏面に対して起立する使用位置との間で折り畳み可能に支持脚４０が設けられている。天板１１の裏面の複数の所定位置には各支持脚４０の折り畳み状態において天板１１の裏面から突出し天板１１の裏面周縁に指挿入用スペースを形成するスペーサ５０が配設されている。【選択図】        図１
2005230154.tif 000002
【特許請求の範囲】
【請求項１】
裏面側に収容凹部を有する天板と、
前記収容凹部内に配設され、かつ前記収容凹部の対向する一対の側壁部に固定された一対の補強枠と、
前記収容凹部内において前記各補強枠の両端部に隣接配置された二対の脚取付部材と、
前記各脚取付部材に対して脚基部を回動可能に支持され、かつ前記天板の裏面に沿う折り畳み位置と天板の裏面に対して起立する使用位置との間で折り畳み可能に設けられた二対の支持脚と、
前記天板の裏面の複数の所定位置に設けられ、かつ前記各支持脚の折り畳み状態において前記天板の裏面から突出し前記天板の裏面周縁に指挿入用スペースを形成するスペーサと、
を備えることを特徴とする折り畳み式テーブル。
【請求項２】
前記スペーサは、前記脚取付部材の近傍にそれぞれ配設されると共に、前記支持脚又は該支持脚の回動に伴ってその位置が変動する連動部材に接触して前記支持脚又は連動部材との間に少なくとも指が挿入され得る隙間が形成されるのを抑制する指詰め防止部材を備えることを特徴とする請求項１に記載の折り畳み式テーブル。
【請求項３】
前記各補強枠の端部において対向する支持脚対はその先端部側において連結部材により連結され、該連結された一対の支持脚の間隔は、その先端部において該連結部材により各補強枠に係合するように拡幅されていることを特徴とする請求項１又は請求項２に記載の折り畳み式テーブル。
【請求項４】
前記連結された二対の支持脚対間にはそれぞれ取付軸管が回動可能に取り付けられ、両取付軸管の間には棚を形成する伸縮可能な棚管が設けられ、
前記各支持脚対において前記各取付軸管は前記支持脚の回動方向における内側に形成され、前記連結部材は前記支持脚の回動方向における外側に形成されていることを特徴とする請求項３に記載の折り畳み式テーブル。
【発明の詳細な説明】
【技術分野】
【０００１】
本発明は、天板の裏面に設けた支持脚を天板の裏面に沿った折り畳み位置と、天板から起立した使用位置との間で折り畳み可能に設けた折り畳み式テーブルに関する。
【背景技術】
【０００２】
一般に、折り畳み式テーブルは、その収納、配置が便利な点より集会所等多人数が集合する場所において、或いは家庭用テーブルとして利用されている。従来の折り畳み式テーブルは、天板と、その天板の裏側面にその長手方向に固定した左右一対の補強枠と、該補強枠の端部に折り畳み可能に脚基部を回動可能に支持した支持脚とを備えている。上記支持脚の脚基部は補強枠に対して軸ピンを介して軸着されている。また、例えば支持脚と補強枠との間には、該支持脚を起立状態に固定するための折り曲げ式ステー（固定機構）が配設されている。このように構成された折り畳み式テーブルを収納する際には、折り曲げ式ステーを軸ピンを中心に折り曲げるとともに、支持脚を天板の裏面に沿うように折り畳んだ状態で積み重ねられる。
【０００３】
このような折り畳み式テーブルの収納効率や運搬効率を向上させるためには、折り畳み式テーブルの占有する空間を小さくする必要があり、そのためには支持脚の折り畳み時における折り畳み式テーブルの厚さを低減させる必要がある。
【０００４】
このため、従来の折り畳み式テーブルとして、天板の裏面に設けた補強枠の内側方に対して脚取付け部材を配設し、収納時には支持脚を補強枠の内側方において折り畳み可能にしたものが提案されている（例えば、特許文献１参照）。これによれば、支持脚の折り畳み時における折り畳み式テーブルの厚さは、天板の厚さと補強枠及び支持脚のうち厚さの大きい方の厚さとの和とすることができ、収納時における折り畳み式テーブルの厚さを薄くすることができる。
【０００５】
しかしながら、特許文献１に開示された折り畳み式テーブルにおいては、収納時における折り畳み式テーブルの厚さは、天板の厚さと補強枠及び支持脚のうち厚さの大きい方の厚さの和となるものの、未だ厚く、収納時及び運搬時において嵩張ることとなる。
【０００６】
このような要求を満たすため、折り畳み式テーブルの天板の裏面に支持脚の収容空間を設け、この収容空間の長手方向の両側縁に対してそれぞれ補強枠を設け、両補強枠の対向面間に脚基部を軸着することにより支持脚を折り畳み可能としたものが提案されてきている。（例えば、特許文献２参照）。
【０００７】
この折り畳み式テーブルによれば、例えば支持脚の折り畳み時において、補強枠は収容空間内に配設されており、支持脚は収容空間内において両補強枠間に収まってしまう。そのため、折り畳み時の折り畳み式テーブルの厚さはほぼ天板の厚さのみとなり、折り畳み式テーブルの厚さを最小限とすることができるようになる。
【特許文献１】特開２０００−６０６４５号
【特許文献２】実用新案登録第３０８７４１５号
【発明の開示】
【発明が解決しようとする課題】
【０００８】
上記特許文献２に開示された折り畳み式テーブルによれば、折り畳み時における折り畳み式テーブルの厚さを最小限にすることができ、収納時及び運搬時において積み重ねられる場合に占有空間の省スペース化を図ることができ、収納効率や運搬効率を向上させることができる。
【０００９】
しかしながら、この折り畳み式テーブルは折り畳んだ状態では天板の厚さのみとなり、積み重ねられた折り畳み式テーブルは、同一形状の天板を積み重ねた状態となり、折り畳み式テーブル間に指を挿入するための隙間もない。そのため、折り畳み式テーブルの収納時において積み重ねる際や使用時において持ち上げる際に指を挟まないように注意する必要があり、取り扱いが不便となる。
【００１０】
そこで、本発明は、上記の実情に鑑み、折り畳み時における折り畳み式テーブルの厚さを小さくすることができ、収納効率や運搬効率を向上させることができるとともに、容易に取り扱うことができる折り畳み式テーブルを提供することを課題とする。
【課題を解決するための手段】
【００１１】
本発明にかかる折り畳み式テーブルは、裏面側に収容凹部を有する天板と、前記収容凹部内に配設され、かつ前記収容凹部の対向する一対の側壁部に固定された一対の補強枠と、前記収容凹部内において前記各補強枠の両端部に隣接配置された二対の脚取付部材と、前記各脚取付部材に対して脚基部を回動可能に支持され、かつ前記天板の裏面に沿う折り畳み位置と天板の裏面に対して起立する使用位置との間で折り畳み可能に設けられた二対の支持脚と、前記天板の裏面の複数の所定位置に設けられ、かつ前記各支持脚の折り畳み状態において前記天板の裏面から突出し前記天板の裏面周縁に指挿入用スペースを形成するスペーサと、を具備するものである。
【００１２】
ここで、スペーサの配設位置は天板の収容凹部内であっても、収容凹部の外周縁であってもよい。スペーサを天板の収容凹部内に配設する場合には、スペーサの高さは補強枠及び支持脚の高さ（太さ）よりも高く設定しておけばよい。収容凹部の外周縁に配設する場合には、平板状とすることができる。また、スペーサを構成する材質は折り畳み式テーブルの重量を支えることができるものであればよく、例えば硬質の合成樹脂材料製としてもよいし、金属製としてもよい。
【００１３】
本発明によれば、天板の裏面に設けられた収容凹部の側壁部に対して補強枠が固定されているので、側壁部の厚さを確保することによって補強枠を固定することができ、天板の厚さを増加させることなく、天板の強度を増加させることができる。また、収容凹部内において各補強枠の両端部に隣接配置された二対の脚取付部材に対して二対の支持脚が折り畳み位置と使用位置との間で折り畳み可能に設けられており、天板の裏面の複数の所定位置に天板の裏面から突出し前記天板の裏面周縁に指挿入用スペースを形成するスペーサが設けられている。そのため、各支持脚が折り畳まれた状態において、補強枠及び支持脚は収容凹部内に収まる。従って、折り畳んだ状態の折り畳み式テーブルの厚さは、天板の厚さとスペーサの天板裏面から突出する高さの和となり、折り畳み時における折り畳み式テーブルの厚さを薄くすることができ、収納時及び運搬時において積み重ねられる場合に占有空間の省スペース化され、収納効率や運搬効率を向上させることができる。また、折り畳んだ状態の折り畳み式テーブルにはその裏面に配設したスペーサによって指挿入用スペースが形成されるため、折り畳み式テーブルの収納時において積み重ねる際や使用時において持ち上げる際に指を挟んだりすることなく、容易に取り扱うことができるようになる。
【００１４】
ところで、本発明の折り畳み式テーブルにおいて、「前記スペーサは、前記脚取付部材の近傍にそれぞれ配設されると共に、前記支持脚又は該支持脚の回動に伴ってその位置が変動する連動部材に接触して前記支持脚又は連動部材との間に少なくとも指が挿入され得る隙間が形成されるのを抑制する指詰め防止部材を備える」構成とすることができる。
【００１５】
これによれば、折り畳み式テーブルの使用時において支持脚を回動させて起立状態にする際に、指詰め防止部材が支持脚又は連動部材に接触して少なくとも指が挿入され得る隙間が形成されることが抑制されるため、支持脚の操作時に誤って手を挟むことを防止することが可能となる。
【００１６】
また、本発明の折り畳み式テーブルにおいて、「前記各補強枠の端部において対向する支持脚対はその先端部側において連結部材により連結され、該連結された一対の支持脚の間隔は、その先端部において該連結部材により各補強枠に係合するように拡幅されている」構成とすることもできる。
【００１７】
これによれば、支持脚対が連結部材にて連結されているので、支持脚を起立させた使用位置にしたとき、各支持脚の強度を向上させることができる。また、各支持脚対はその先端部側において連結部材により拡幅されているので、折り畳み式テーブルの使用安定性を向上させることができると共に、支持脚対の折り畳み時において支持脚対の先端部と補強枠との係合により支持脚対を折り畳み状態に保持することができるようになる。
【００１８】
また、本発明の折り畳み式テーブルにおいて、「前記連結された二対の支持脚間にはそれぞれ前記取付軸管が回動可能に取り付けられ、両取付軸管の間には棚を形成する伸縮可能な棚管が設けられており、前記取付軸管は前記支持脚の回動方向における内側に形成され、前記連結部材は前記支持脚の回動方向における外側に形成されている」構成とすることもできる。
【００１９】
これによれば、折り畳み式テーブルを使用する際に、支持脚対を起立状態にする起立操作に伴って取付軸管が回動して棚管は伸張され、天板の下方に棚が形成される。また、折り畳み式テーブルを収納する際に、支持脚対を折り畳み状態にする折り畳み操作に伴って取付軸管が回動して棚管は収縮され、支持脚対は天板の裏面に沿うように折り畳まれる。このとき、取付軸管は支持脚の回動方向における内側に形成され、連結部材は支持脚の回動方向における外側に形成されているため、棚管が連結部材に当接することはなく、支持脚対が天板の裏面に沿う折り畳み位置に確実に折り畳まれる。
【発明の効果】
【００２０】
本発明の折り畳み式テーブルは、折り畳み時における折り畳み式テーブルの厚さを小さくすることができ、収納効率や運搬効率を向上させることができるとともに、容易に取り扱うことができる。
【発明を実施するための最良の形態】
【００２１】
以下、本発明の一実施形態である折り畳み式テーブルの構造について、図１〜図７に基づいて説明する。図１は実施形態の折り畳み式テーブルの使用状態を示す裏面斜視図であり、図２は折り畳み式テーブルの折り畳み状態を示す裏面斜視図であり、図３は折り畳み式テーブルの折り畳み状態を示す裏面図である。図４は折り畳み式テーブルの折り畳み状態における部分断面図であり、図５は折り畳み式テーブルの積み重ね状態を示す側面図である。図６は折り畳み式テーブルの支持脚の開閉機構を示す側断面図であり、図７は折り畳み式テーブルの折り畳み時の開閉機構を示す側断面図である。
【００２２】
図１〜図４に示されるように、本実施形態の折り畳み式テーブル１０は、天板１１と、その天板１１の裏面に固定された対向する一対の補強枠２０と、各補強枠２０の両端部に隣接して設けられた４個の脚取付部材３０と、各脚取付部材３０に対して脚基部４１を回動可能に軸着して折畳み可能に設けられた４本の支持脚４０と、脚取付部材３０の近傍を囲むように配設されたＬ字状のスペーサ５０とを備えている。なお、図１〜図４では、説明の便宜上、折り畳み式テーブル１０の半分を省略した状態を示す。
【００２３】
天板１１は、矩形状をなす天板本体１２と、その裏面の各周縁に対して接着剤等により固定された桟１３とよりなり、天板１１の裏面には平面矩形状をなす収容凹部１４が形成されている。なお、図４に示されるように、天板１１の外周には軟質合成樹脂製のプロテクタ１５が配設されている。天板１１の全ての桟１３の外周には環状の係合溝１３ａが形成され、この係合溝１３ａ内にプロテクタ１５の内面に形成した係合突起１５ａを挿入することによりプロテクタ１５が取付けられている。
【００２４】
図４に示されるように、上記補強枠２０は角形パイプよりなり、天板１１の収容凹部１４内に配設され、収容凹部１４の長手方向における対向する一対の桟１３に対してビス２１により固定されている。各補強枠２０の両端部には脚取付部材３０が並列して隣接配置され、補強枠２０と脚取付部材３０とは互いに溶接により固定されている。また、脚取付部材３０は、支持脚４０を安定保持するために断面逆Ｕ字状をなしている（図４参照）。なお、上記補強枠２０の厚み（高さ）は約２６ｍｍである。また、脚取付部材３０の厚みは、補強枠２０と同じである。上記脚取付部材３０は、天板本体１２に対して図示しないビスにより固定されている。
【００２５】
上記支持脚４０は、脚取付部材３０に回動可能に軸着した支持軸３１よりも先端部４２側に設けた脚側軸６１と上記脚取付部材３０との間に、テーブル使用時に上記支持脚４０を起立状態に固定するためのロック部材６０を介設している。
【００２６】
このロック部材６０と上記支持脚４０との間は、脚側軸６１を介して回動可能に軸着され、上記ロック部材６０と支持脚４０との間にはロック部材６０を支持脚４０に対して開く方向に付勢するトルクバネ６２が介設されている（図６）。また、上記ロック部材６０は、対向する脚取付部材３０に同様に設けた上記ロック部材６０との間に、棒状の連結具７０を介して連結されている。
【００２７】
図６に示されるように、上記脚取付部材３０は、脚の折り畳み時と脚の起立時に、上記連結具７０が係合する折り畳み時係合穴３２と起立時係合穴３３と両者間を連結する連結穴３４とを有している。また、図３に示されるように、上記支持脚４０の厚みは、その折り畳み時において、上記補強枠２０、脚取付部材３０の厚みと略同じであり、かつ支持脚４０は上記補強枠２０に沿ってその側方に折り畳まれるように構成されている。
【００２８】
そして、支持脚４０の折り畳み時には、上記連結具７０と起立時係合穴３３との間の係合を外して上記トルクバネ６２の付勢力に抗して上記支持脚４０を補強枠２０の方向に折り畳み、上記連結具７０を起立時係合穴３３から連結穴３４を介して移動させて、上記折り畳み時係合穴３２に係合させるように構成されている。
【００２９】
また、ロック部材６０は、図６に示されるように、その一端が支持脚４０の脚基部４１において脚側軸６１により軸着され、ロック部材６０の他端は連結具７０を介して、脚取付部材３０における上記起立時係合穴３３、連結穴３４、折り畳み時係合穴３２にスライド可能に係合されている。
【００３０】
また、ロック部材６０は、支持脚４０を折り畳んだときに、ロック部材６０の上部６３が上記支持軸３１に当接することを防止するための凹部６４を備えている（図６、図７）。
【００３１】
また、支持脚４０は、その先端部４２の近くに、互いに対向する支持脚を連結支持する連結部材４３を備えており（図１、図２、図３）、連結された一対の支持脚４０の間隔は、その先端部４２において連結部材４３により各補強枠２０に係合するように拡幅されている。各支持脚４０の先端部４２の外側面には係合凹部４４が形成され、上記各補強枠２０の内側面には折り畳んだ状態の支持脚４０の係合凹部４４に対応する位置に係合凸部２２が形成されている。そして、支持脚４０の折り畳み時において、各支持脚４０が天板１１の収容凹部１４の頂面に沿った位置まで折り畳まれると、係合凹部４４が補強枠２０の係合凸部２２と係合して各支持脚４０は折り畳み位置に保持されるように構成されている。
【００３２】
また、連結部材４３により連結された各支持脚４０対間にはそれぞれ取付軸管４５が回動可能に取付けられており、両取付軸管４５の間には棚を形成する伸縮可能な棚管４６が設けられている。各支持脚４０対において各取付軸管４５は該支持脚４０の中心軸線よりも支持脚４０の回動方向における内側に形成され、各連結部材４３は該支持脚４０の中心軸線よりも支持脚４０の回動方向における外側に形成されている。従って、折り畳み式テーブル１０を使用する際に、各支持脚４０対を起立状態にする起立操作に伴って取付軸管４５が回動して棚管４６は伸張され、天板１１の下方に棚が形成される。また、折り畳み式テーブル１０を収納する際に、各支持脚４０対を折り畳み状態にする折り畳み操作に伴って取付軸管４５が前記とは逆方向に回動して棚管４６は収縮され、各支持脚４０対は収容凹部１４の頂面（天板１１の裏面）に沿うように折り畳まれる。このとき、各取付軸管４５は支持脚４０の中心軸線よりも回動方向における内側に形成され、各連結部材４３は支持脚４０の中心軸線よりも回動方向における外側に形成されているため、棚管４６が連結部材４３に当接することはなく、各支持脚４０対が収容凹部１４の頂面に沿う折り畳み位置に確実に折り畳まれる。
【００３３】
天板１１の収容凹部１４内において、その四隅部には各脚取付部材３０の先端側及び外側端を囲むように、合成樹脂製の平面Ｌ字状をなすスペーサ５０がそれぞれ配設されている。各スペーサ５０は、各支持脚４０対の折り畳み状態において上記天板１１の裏面から突出し、天板１１の裏面周縁に指挿入用スペースを形成するように形成されている。本例の場合には、スペーサ５０が脚取付部材３０の先端側（天板の長手方向の端部）と脚取付部材３０の外側端（天板の幅方向、即ち天板の左右方向における脚取付部材３０の外側）とをＬ字状に囲むと共に、これらを遮蔽するようになっている。また、上記のスペーサ５０は、折り畳み時の各支持脚４０の厚さ、補強枠２０、脚取付部材３０の厚さのいずれよりも大きい厚さを有している。即ち、スペーサ５０の厚さは３７．５ｍｍで、支持脚４０の厚さ（２６ｍｍ）よりも約９．５ｍｍ大きい。
【００３４】
また、スペーサ５０には脚取付部材３０の先端側において上記ロック部材６０と対応する位置まで延びる指詰め防止片５１が薄肉ヒンジ部５２を介して回動可能に設けられている。指詰め防止片５１は、支持脚４０の回動に伴って前記ロック部材６０が接触すると、薄肉ヒンジ部５２を中心にして回動してロック部材６０の変位を許容しつつ、ロック部材６０との間に指が挿入され得る隙間が形成されるのを抑制するようになっており、折り畳み式テーブル１０の使用時において支持脚４０を回動させて起立状態にする際に、支持脚４０の操作時に誤ってロック部材６０に指を挟むことを防止するようになっている。
【００３５】
次に、上記のように構成された折り畳み式テーブル１０の作用効果について説明する。
【００３６】
まず、折り畳み式テーブル１０が使用される状態、即ち支持脚４０が起立状態にあるときには、図１、図６に示すように、上記連結具７０が脚取付部材３０の起立時係合穴３３に係合している。そして、支持脚４０と脚取付部材３０とは、上記連結具７０と脚側軸６１との間に設けたロック部材６０を介して、直角状に保持されている。また、ロック部材６０と支持脚４０との間には、ロック部材６０が支持脚４０に対して開く方向にトルクバネ２６によって付勢されている（図１、図６）。そのため、支持脚４０は、ガタを生じることなく、確実に起立状態に保持される。
【００３７】
一方、折り畳み式テーブルの収納時に、支持脚４０を折り畳む際には、上記連結具７０を天板１１の方向へ押して、該連結具７０と脚取付部材３０における起立時係合穴３３との係合状態を解除すると共に支持脚４０を補強枠２０の方向へ、支持軸３１を中心に倒していく（図２、図７）。これにより、上記連結具７０は、連結穴３４にガイドされながら折り畳み時係合穴３２の方向に引っ張られる（図７）。そして、図２、図７に示すように、支持脚４０を補強枠２０の側方に併列した状態に折り畳む。このとき、連結穴３４にガイドされた連結具７０は上記折り畳み時係合穴３２内に係合する。そのため、支持脚４０はこの状態に維持される。
【００３８】
このように、本実施形態の折り畳み式テーブル１０によれば、支持脚４０の折り畳み操作は簡単であり、折り畳み状態の維持も上記係合により確実である。
【００３９】
また、上記折り畳み時においては、支持脚４０は補強枠２０の側方に併列した状態となり（図２）、折り畳み式テーブルの高さ（厚さ）方向には重ならない。上記の折り畳み式テーブルは、これを収納するとき、支持脚４０を折り畳み、図５に示されるように、天板１１同士、スペーサ５０同士が互いに交互となるように積み重ねられる。このとき、折り畳み状態の折り畳み式テーブル１０の合計厚さＨは、天板１１の厚さＪとスペーサ５０の天板１１の裏面からの突出高さＦとの合計となる。
【００４０】
具体的に、一例を示せば天板１１の厚さＪは３５ｍｍ、天板本体１２の厚さは１０ｍｍ、スペーサ５０の突出高さＦは１２．５ｍｍである。そのため、折り畳み状態の折り畳み式テーブル１０の厚さは４７．５ｍｍとなり、折り畳み時における折り畳み式テーブル１０の厚さを薄くすることができる。そのため、収納時及び運搬時において積み重ねられる場合に占有空間が省スペース化され、収納効率や運搬効率を向上させることができる。
【００４１】
また、本実施形態の折り畳み式テーブル１０では、支持脚４０は互いに対向する支持脚を連結支持する連結部材４３により各補強枠２０に係合するように拡幅されており、支持脚４０の折り畳み時において、支持脚４０の係合凹部４４が補強枠２０の係合凸部２２と係合して各支持脚４０を折り畳み位置に保持することができる。
【００４２】
また、折り畳んだ状態の折り畳み式テーブル１０にはその裏面に配設したスペーサ５０によって指挿入用スペースが形成されるため、折り畳み式テーブルの収納時において積み重ねる際や使用時において持ち上げる際に天板１１間に指を挟んだりすることなく、容易に取り扱うことができるようになる。
【００４３】
また、上記のスペーサ５０は、天板１１の収容凹部１４内に設けるため、例えば幅、長さが５〜１０ｃｍという、広い面積を採用することができる。そのため、スペーサ５０の面積を大きく取ることができるため、スペーサ同士間への単位面積当りの荷重も少なくなる。そのため、スペーサ５０、天板１１の損傷もない。
【００４４】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４５】
すなわち、本実施形態の折り畳み式テーブル１０では、二対の支持脚４０対間に棚管４６を備えた折り畳み式テーブルに具体化したが、棚管４６及び取付軸管４５を省略してもよい。
【００４６】
また、上記実施形態では、スペーサ５０を天板１１裏面の収容凹部１４内に配設したが、スペーサを平板状として収容凹部１４の周縁部に設けるようにしてもよい。この場合においても、指詰め防止片を設けることが可能である。
【００４７】
また、上記実施形態では、支持脚４０の外側にロック部材６０を設けたが、支持脚４０の内側（折り畳み方向）に例えば一対のリンクよりなるトグル式のロック機構を設けるようにしてもよい。
【図面の簡単な説明】
【００４８】
【図１】実施形態の折り畳み式テーブルの使用状態を示す裏面斜視図。
【図２】実施形態の折り畳み式テーブルの折り畳み状態を示す裏面斜視図。
【図３】実施形態の折り畳み式テーブルの折り畳み状態を示す裏面図。
【図４】実施形態の折り畳み式テーブルの折り畳み状態における部分断面図。
【図５】実施形態の折り畳み式テーブルの積み重ね状態を示す側面図。
【図６】実施形態の折り畳み式テーブルの支持脚の開閉機構を示す側断面図。
【図７】実施形態の折り畳み式テーブルの折り畳み時の開閉機構を示す側断面図。
【符号の説明】
【００４９】
１０  折り畳み式テーブル
１１  天板
１３  桟（側壁部）
１４  収容凹部
２０  補強枠
３０  脚取付部材
４０  支持脚
３１  支持軸
５０  スペーサ
５１  指詰め防止片
６０  ロック部材（連動部材）
【図１】
2005230154.tif 000003
【図２】
2005230154.tif 000004
【図３】
2005230154.tif 000005
【図４】
2005230154.tif 000006
【図５】
2005230154.tif 000007
【図６】
2005230154.tif 000008
【図７】
2005230154.tif 000009